(57)【要約】【課題】    簡単な構成でプラグの挿抜及びこれに伴うカバー部の開閉操作を実現し安全性を向上させる。【解決手段】  回路遮断装置１は、電源側及び負荷側バスバーと、これらを収容するハウジング２０Ａと、両バスバーを短絡させるプラグ１０と、ハウジング２０Ａや各回路構成部品を収容するケース本体７２と、このケース本体７２に取り付けられる蓋体７１とを備え、また、プラグ１０に形成されたスライダ係合部１７と蓋体７１に装着されたロックスライダ５０Ａとでプラグ１０、蓋体７１及びハウジング２０Ａを互いに係止固定するロック部が構成されている。ケース本体７２の開閉操作の際にはロックスライダ５０Ａをスライド移動させプラグ挿通孔７９を通ってハウジング２０Ａに挿抜されるプラグ１０を動かさなければならないため、ケース本体７２の不用意な開閉を防止し短絡事故などを防ぐことができる。【選択図】  図１
2005235651.tif 000002
【特許請求の範囲】
【請求項１】
電源側に接続可能であると共に第１接点部を備える第１のバスバーと、
負荷側に接続可能であると共に第２接点部を備える第２のバスバーと、
これら第１及び第２のバスバーの前記第１接点部及び第２接点部を内部に収容するハウジングと、
このハウジングを内部に収容する開口されたケース本体と、
このケース本体の開口部を覆う状態で前記ケース本体に取り付けられる蓋体と、
この蓋体を通って前記ハウジングの内部に挿入され前記第１接点部と前記第２接点部とを短絡させるプラグとを備え、
前記ハウジング、蓋体及びプラグは、前記プラグの前記ハウジングへの完全挿入時に、前記プラグの前記ハウジング及び蓋体からの抜けを防止するロック部によりそれぞれ互いに係止固定される構造からなり、
前記ロック部は、前記蓋体に装着され前記プラグの前記ハウジングへの挿入方向と直交する方向にスライド移動自在なロックスライダと、前記プラグに形成され前記ロックスライダが係合するスライダ係合部とから構成されている
ことを特徴とする回路遮断装置。
【請求項２】
前記ハウジングは、前記プラグが挿入されるプラグ挿入口を備え、
前記蓋体は、前記ケース本体を閉じた状態のときに前記ハウジングに挿入される前記プラグが挿通されるプラグ挿通孔を備え、
前記ロックスライダは、前記スライダ係合部を前記挿入方向に押える押え片を備え、
前記スライダ係合部は、前記挿入方向と直交する面と平行に板面が形成されこの板面に前記押え片が当接すると共に、前記挿入方向と平行の外周面部が前記プラグ挿通孔の内周面部に嵌る板状部材からなる
ことを特徴とする請求項１記載の回路遮断装置。
【請求項３】
前記ケース本体及び蓋体は、ヒンジ部を介して開閉可能な一体構造からなる
ことを特徴とする請求項１又は２記載の回路遮断装置。
【発明の詳細な説明】
【技術分野】
【０００１】
本発明は、例えば自動車のメインヒューズボックス（Main Fuse Box：以下、特に明記しない限り「Ｍ／Ｂ」と呼ぶ。）等に搭載され、電源と負荷との間を電気的に遮断可能な回路遮断装置に関する。
【背景技術】
【０００２】
自動車用機器の多電子化に伴い、例えば車両電源電圧を１２Ｖ（ボルト）や１４Ｖから２４Ｖ、３６Ｖ又は４２Ｖに昇圧した場合、電源投入時などにアーク放電が発生し易くなるため、Ｍ／Ｂ等には安全性確保のための回路遮断装置が搭載される。図６は、このような従来の回路遮断装置を説明するための概略図である。
【０００３】
図６（ａ）に示すように、回路遮断装置４００は、例えば合成樹脂等からなるカバーハウジング部４０１内に、電源（バッテリ）側の接点部４０２ａと、負荷側の接点部４０２ｂとを収容して構成され、それぞれの接点部４０２ａ，４０２ｂは、導電部４０３ａ，４０３ｂを介して電源側のバスバー４０４ａと、負荷側のバスバー４０４ｂとにボルト４０５で留められてナット４０６で固定されている。
【０００４】
この回路遮断装置４００の各接点部４０２ａ，４０２ｂ内には、同図（ｂ）に示すように、ルーバー状の接触子４０７を備えたいわゆるマルチコンタクトと呼ばれる接触部４０８ａ，４０８ｂがそれぞれ設けられている。
【０００５】
そして、これら接触部４０８ａ，４０８ｂ内に、例えば丸棒状のプラグ４０９を挿し込むことで、各接触部４０８ａ，４０８ｂ内の接触子４０７がプラグ４０９の表面と接触し、回路遮断装置４００の導電部４０３ａ，４０３ｂを介して電源側のバスバー４０４ａと負荷側のバスバー４０４ｂとを電気的に接続（短絡）する構造からなる。
【０００６】
反対に、電源側のバスバー４０４ａと負荷側のバスバー４０４ｂとを電気的に遮断（開放）する場合には、接触部４０８ａ，４０８ｂに挿し込まれているプラグ４０９を抜くことにより遮断（開放）することが可能である（例えば、特許文献１及び２参照。）。
【０００７】
【特許文献１】特開２０００−３１９３３５号公報（第３−６頁、第１−１０図）
【特許文献２】特開２０００−３１９３３６号公報（第３−８頁、第１−１３図）
【発明の開示】
【発明が解決しようとする課題】
【０００８】
しかしながら、このような構造の回路遮断装置４００では、例えば回路遮断装置４００を図示しないＭ／Ｂのケース本体内に収容した場合、プラグ４０９を各接点部４０２ａ，４０２ｂから抜く前に不用意にケース本体を開けて内部の回路部品に触れることも起こりえるため、誤って短絡事故などを発生させてしまうことも考えられる。
【０００９】
本発明は、このような問題点に鑑みてなされたもので、簡単な構成でプラグの確実な挿入及び抜去とこれに伴うケース本体の開閉操作とを実現して電気的接触信頼性及び安全性を向上させることができる回路遮断装置を提供することを目的とする。
【課題を解決するための手段】
【００１０】
本発明に係る回路遮断装置は、電源側に接続可能であると共に第１接点部を備える第１のバスバーと、負荷側に接続可能であると共に第２接点部を備える第２のバスバーと、これら第１及び第２のバスバーの前記第１接点部及び第２接点部を内部に収容するハウジングと、このハウジングを内部に収容する開口されたケース本体と、このケース本体の開口部を覆う状態で前記ケース本体に取り付けられる蓋体と、この蓋体を通って前記ハウジングの内部に挿入され前記第１接点部と前記第２接点部とを短絡させるプラグとを備え、前記ハウジング、蓋体及びプラグは、前記プラグの前記ハウジングへの完全挿入時に、前記プラグの前記ハウジング及び蓋体からの抜けを防止するロック部によりそれぞれ互いに係止固定される構造からなり、前記ロック部は、前記蓋体に装着され前記プラグの前記ハウジングへの挿入方向と直交する方向にスライド移動自在なロックスライダと、前記プラグに形成され前記ロックスライダが係合するスライダ係合部とから構成されていることを特徴とする。
【００１１】
なお、この回路遮断装置のハウジングは、例えばプラグが挿入されるプラグ挿入口を備え、蓋体は、ケース本体を閉じた状態のときにハウジングに挿入されるプラグが挿通されるプラグ挿通孔を備え、ロックスライダは、スライダ係合部を挿入方向に押える押え片を備え、スライダ係合部は、挿入方向と直交する面と平行に板面が形成されこの板面に押え片が当接すると共に、挿入方向と平行の外周面部がプラグ挿通孔の内周面部に嵌る板状部材からなると良い。
【００１２】
そして、ケース本体及び蓋体は、例えばヒンジ部を介して開閉可能な一体構造からなるものでも良い。
【発明の効果】
【００１３】
本発明の回路遮断装置によれば、回路遮断装置のハウジング、蓋体及びプラグが、蓋体に装着されプラグのハウジングへの挿入方向と直交する方向にスライド移動自在なロックスライダと、プラグに形成されロックスライダが係合するスライダ係合部とから構成されるロック部で、プラグのハウジングへの完全挿入時にそれぞれ互いに係止固定されるため、プラグのハウジングへの不完全挿入状態を検知することができると共に、プラグのハウジングに対する不用意な挿抜やケース本体の不用意な開閉を防止することができる。また、ロック部は、蓋体に備えられたロックスライダとプラグに備えられたスライダ係合部とからなる簡単な構成で実現することができるため、ハウジング、蓋体及びプラグの係止固定を実現するためのコストアップを極力抑えることができる。このため、簡単な構成でプラグの確実な挿入及び抜去とこれに伴うケース本体の開閉操作とを実現して電気的接触信頼性及び安全性の向上を図ることが可能となる。
【発明を実施するための最良の形態】
【００１４】
以下、添付の図面を参照して、本発明の好ましい実施の形態を説明する。
図１は、本発明の一実施形態に係る回路遮断装置を示す分解斜視図、図２は、この回路遮断装置のプラグ完全挿入後のロック状態を示す外観斜視図、図３は、この回路遮断装置の動作説明側方一部断面図、図４は、この回路遮断装置の一部断面図、図５は、図２のＡ−Ａ´断面図である。なお、図３は、図４のＢ−Ｂ´断面に基づきこの回路遮断装置を表わすものであるが、各部位等が必ずしも一致するものではない。
【００１５】
図１及び図２に示すように、回路遮断装置１は、電源プラス（＋）入力側配線（電源側配線）６１に接続可能に形成された第１のバスバーである図示しない電源側バスバーと、電源プラス（＋）出力側配線（負荷側配線）６２に接続可能に形成された第２のバスバーである図示しない負荷側バスバーと、これら電源側及び負荷側バスバー間を短絡させるいわゆるブレード型のプラグ１０とを備えている。
【００１６】
また、回路遮断装置１は、電源側バスバーに備えられた第１接点部（図示せず）及び負荷側バスバーに備えられた第２接点部（図示せず）がハウジング２０Ａの内部に収容され、更にこのハウジング２０Ａと共に電源側配線６１及び負荷側配線６２の端末部、メインヒューズ６３、コネクタ６４、電流センサ６５及びミニヒューズ６６などの各回路構成部品が、例えば樹脂成型部材の開口されたケース本体７２の内部に収容された構造からなる。
【００１７】
なお、この回路遮断装置１のケース本体７２内に収容された負荷側配線６２は、例えばシールド構造を備えており、接地（グランド：ＧＮＤ）側バスバー６７を介して接地側配線６８に接続されている。
【００１８】
プラグ１０は、例えばハウジング２０Ａへの挿入方向先端側が二股に分岐され且つ平面状に配列配置された、その配列方向と交差する図１中上下方向から見て例えばＵ字型の平板状の金属部材からなり、その分岐された平板状部分がハウジング２０Ａ内に収容された電源側バスバーの第１接点部と接触する第１接触部１１及び負荷側バスバーの第２接点部と接触する第２接触部１２を構成してなる。
【００１９】
このプラグ１０の第１及び第２接触部１１，１２の互いに対向する側縁部は、例えば樹脂成型部材からなる絶縁部１３，１４により覆われると共に、その先端から僅かに基端側に入った位置から基端側へ所定距離だけ奥まった位置までの絶縁部１３，１４が除去されて、その部分で第１及び第２接触部１１，１２の側端面１５及びその側縁部が僅かに露出する構造を有している。
【００２０】
そして、第１及び第２接触部１１，１２に備えられた絶縁部１３，１４の先端部は、例えばその平面形状が楔形となるように形成されハウジング２０Ａへの挿入時に第１及び第２接点部より先にこれら接点部に備えられた図示しない犠牲接点片と最初に接触するものである。
【００２１】
即ち、このプラグ１０では、例えば第１及び第２接触部１１，１２と第１及び第２接点部とが接触する前に、第１及び第２接点部の犠牲接点片が第１及び第２接触部１１，１２の側端面１５とランダムに先に接触する構造を有するため、アーク放電による弊害が第１及び第２接触部１１，１２と第１及び第２接点部との接触部分に及ばないように工夫がなされている。
【００２２】
このように構成されたプラグ１０の第１及び第２接触部１１，１２の基端側には、後述するケース本体７２に取り付けられる蓋体７１に備えられたロック部を構成するロックスライダと係合可能な合成樹脂等の板状部材からなるスライダ係合部１７と、プラグ１０を把持して操作するための同じく合成樹脂等からなる把持部１６とが形成され、上記の第１及び第２接触部１１，１２はこの把持部１６内で連続した構造からなる。
【００２３】
なお、プラグ１０に備えられたスライダ係合部１７は、プラグ１０のハウジング２０Ａへの挿入方向と直交する面（以下、「直交面」と呼ぶ。）と平行にその板面１７ａが形成され、この板面１７ａに後述するロックスライダの押え片が当接すると共に、該挿入方向と平行の外周面部１７ｂが後述する蓋体７１のプラグ挿通孔の内周面部に嵌る構造からなる。
【００２４】
プラグ１０が挿入されるハウジング２０Ａは、この例ではプラグ１０の第１及び第２接触部１１，１２をハウジング２０Ａの内部に挿入するためのプラグ挿入口２１を備え、内部に犠牲接点片や第１及び第２接点部や電源側及び負荷側バスバーを収容した矩形箱状に形成された樹脂成型部材からなる筐体を有する構造からなる。
【００２５】
一方、ハウジング２０Ａ等を収容したケース本体７２には、この例では蓋体７１がその開口部を覆う状態で取り付けられており、例えばロック部を構成するロックスライダ５０Ａはこの蓋体７１に備えられ、ケース本体７２内にはハウジング２０Ａの他に上述したメインヒューズ６３などの各回路構成部品が所定のレイアウトで収容されている。
【００２６】
なお、ケース本体７２及び蓋体７１は、この例では互いに分割して着脱可能な構造からなり、例えば蓋体７１の両側端部７１ａに形成された穴部を有する係合片７３と、ケース本体７２の両側端部７２ａに形成された係合片７３の穴部と係合する係合突起７４とを係合することにより、互いに係止固定される。
【００２７】
そして、ケース本体７２及び蓋体７１を互いに係止固定した場合、ケース本体７２に収容されたハウジング２０Ａや各回路構成部品は、蓋体７１により外部に露出しない状態で完全に覆われるため、回路遮断装置１のケース本体７２内の各回路構成部品等は外部から完全に保護された状態となる。
【００２８】
このケース本体７２に対し例えばハウジング２０Ａは、ケース本体７２の一端部７２ｂ側にプラグ挿入口２１を向けた状態で収容され、蓋体７１のケース本体７２におけるハウジング２０Ａ収容側の端部７２ｂと対応する一端部７１ｂ側には、ロックスライダ５０Ａを装着するロックスライダ装着部７５が形成され、このロックスライダ装着部７５には、ロックスライダ５０Ａが直交面と平行な方向（図１中上下方向）にスライド移動可能に装着されている。
【００２９】
また、蓋体７１のロックスライダ装着部７５の下端近傍には、ハウジング２０Ａのプラグ挿入口２１側の端部を露出させると共にハウジング２０Ａに挿入されるプラグ１０が挿通するプラグ挿通孔７９が形成されている。
【００３０】
この蓋体７１のロックスライダ装着部７５は、直交面と平行な方向にスリット状に開口しスライダ片５４Ａ（図３参照）が挿入されるスライダ挿入部７６（図４及び図５参照）と、このスライダ挿入部７６の所定の内壁面に形成されスライダ片５４Ａが係合するスライダ係止突起７７ａ，７７ｂとを備えて構成されている。
【００３１】
そして、ロックスライダ装着部７５に装着され蓋体７１に備えられるロックスライダ５０Ａは、例えばロックスライダ５０Ａの操作時に実際に押したり引いたりする際に把持される操作把持部５１と、プラグ１０の蓋体７１のプラグ挿通孔７９を通ったハウジング２０Ａへの完全挿入時に、プラグ１０のスライダ係合部１７の板面１７ａと当接しこのスライダ係合部１７をプラグ挿通孔７９に嵌った状態でハウジング２０Ａ側に押える押え片５２と、この押え片５２と操作把持部５１と連結する複数のリブ５３と、蓋体７１のロックスライダ装着部７５のスライダ挿入部７６に挿入係止され例えば互いに対向する方向に可撓する弾性を備えた複数のスライダ片５４Ａとが形成された構造からなる。
【００３２】
なお、このロックスライダ５０Ａの押え片５２のプラグ１０側の端部にも、プラグ１０の把持部１６のスライダ係合部１７側の外周部分に確実に嵌るように、凹状の切欠部５５（図４参照）が形成されている。
【００３３】
このように構成されたロックスライダ５０Ａは、図４及び図５に示すように、蓋体７１のロックスライダ装着部７５に、スライダ挿入部７６にスライダ片５４Ａがそれぞれ挿入係止された状態で装着されている。
【００３４】
このロックスライダ５０Ａがプラグ挿通孔７９から離れた状態のときは、例えば図４に示すように、スライダ片５４Ａに形成された図中下部の係止凸部５６と、スライダ係止突起７７ａ，７７ｂ間の係止凹部７８とが係合し、プラグ１０のプラグ挿通孔７９への挿通に対してロックスライダ５０Ａの押え片５２がスライダ係合部１７から十分離れた位置で静止するような構造となっている。
【００３５】
逆に、ロックスライダ５０Ａがプラグ挿通孔７９に近づいた状態、即ちプラグロック状態のときは、例えば図５に示すように、スライダ片５４Ａに形成された図中上部の係止凸部５７と係止凹部７８とが係合し、ロックスライダ５０Ａの押え片５２がプラグ１０のスライダ係合部１７の板面１７ａと当接し、プラグ挿通孔７９を通った状態のプラグ１０をハウジング２０Ａに係止固定した位置で静止するような構造となっている。
【００３６】
従って、この回路遮断装置１では、図３（ａ）に示すように、例えば蓋体７１を図中矢印ＰＥ方向に動かしてケース本体７２に取り付けてハウジング２０Ａなどを回路遮断装置１内に収めた後、同図（ｂ）に示すように、プラグ１０を図中矢印ＰＡ方向に動かし蓋体７１のプラグ挿通孔７９を通してハウジング２０Ａへ初期挿入し、同図（ｃ）に示すように、プラグ１０をハウジング２０Ａに対して挿入完了させロックスライダ５０Ａを図中矢印ＰＥ方向に動かすという一連の挿入動作において、同図（ｂ）及び同図（ｃ）に示すように、プラグ１０の蓋体７１及びハウジング２０Ａへの初期挿入時及び挿入完了時には、ロックスライダ５０Ａはプラグ挿通孔７９やハウジング２０Ａから離れた位置にあることとなる。
【００３７】
しかし、同図（ｄ）に示すように、プラグ１０の蓋体７１及びハウジング２０Ａへの完全挿入時には、ロックスライダ５０Ａはプラグ挿通孔７９及びハウジング２０Ａに近づいた位置にスライド移動され、これにより蓋体７１のプラグ挿通孔７９に嵌ったプラグ１０のスライダ係合部１７を、ロックスライダ５０Ａの押え片５２がハウジング５０Ａに対して押える状態となって、プラグ１０とハウジング２０Ａと蓋体７１とが係止固定（ロック）される。
【００３８】
なお、この回路遮断装置１では、プラグ１０の挿入時にはプラグ１０がケース本体７２と係合した蓋体７１のプラグ挿通孔７９を通ってハウジング２０Ａに完全に挿入された後でなければ、例えば押え片５２がスライダ係合部１７の外周面部１７ｂなどに当たってロックスライダ５０Ａのスライド移動が妨げられ、ロックスライダ５０Ａを押し込むことができなくなる。このため、プラグ１０の蓋体７１及びハウジング２０Ａへの不完全挿入を検知することが可能となる。
【００３９】
また、この回路遮断装置１では、スライダ係合部１７及びロックスライダ５０Ａで構成されるロック部によりプラグ１０の蓋体７１及びハウジング２０Ａへの完全挿入時にプラグ１０がこれらに係止固定されるため、この係止固定状態を解除するためにはロックスライダ５０Ａを操作しなければならない。このため、プラグ１０の不用意な挿抜を防止することができる。
【００４０】
更に、この回路遮断装置１では、プラグ挿通孔７９に嵌ったスライダ係合部１７とこのスライダ係合部１７と係合するロックスライダ５０Ａとで構成されるロック部によりプラグ１０のプラグ挿通孔７９及びハウジング２０Ａへの完全挿入時にプラグ１０が蓋体７１及びハウジング２０Ａに係止固定されるため、上述したようにこの係止固定状態を解除する他にもケース本体７２から蓋体７１を分離してケース本体７２を開けるためには、ロックスライダ５０Ａを操作してプラグ１０を確実に蓋体７１及びハウジング２０Ａから抜去しなければならない。このため、プラグ１０の不用意な挿抜を防止することができるだけでなく、ケース本体７２の不用意な開閉による短絡事故なども効果的に防止することができる。
【００４１】
なお、上記実施例では回路遮断装置１のプラグ１０として平板状の第１及び第２接触部１１，１２が平面状に配置されたいわゆるブレード型のものを用いて説明したが、従来の回路遮断装置４００（図６参照）のように丸棒状のプラグ４０９にも同様の構造を適用可能であることは言うまでもない。この場合、ハウジング２０Ａのプラグ挿入口２１、蓋体７１のプラグ挿通孔７９、ロックスライダ５０Ａ及びスライダ係合部１７などは適宜プラグ４０９の形状に合わせて成形される。
【産業上の利用可能性】
【００４２】
本発明は、自動車を始めとして、直流電源を遮断する各種の用途に利用できる。
【図面の簡単な説明】
【００４３】
【図１】本発明の一実施形態に係る回路遮断装置を示す分解斜視図である。
【図２】同回路遮断装置のプラグ完全挿入後のロック状態を示す外観斜視図である。
【図３】同回路遮断装置の動作説明側方一部断面図である。
【図４】同回路遮断装置の一部断面図である。
【図５】図２のＡ−Ａ´断面図である。
【図６】従来の回路遮断装置を説明するための概略図である。
【符号の説明】
【００４４】
１…回路遮断装置、１０…プラグ、１１…第１接触部、１２…第２接触部、１３，１４…絶縁部、１５…側端面、１６…把持部、１７…スライダ係合部、２０Ａ…ハウジング、２１…プラグ挿入口、５０Ａ…ロックスライダ、５１…操作把持部、５２…押え片、５３…リブ、５４Ａ…スライダ片、５５…切欠部、５６，５７…係止凸部、７１…蓋体、７２…ケース本体、７５…ロックスライダ装着部、７６…スライダ挿入部、７７ａ，７７ｂ…スライダ係止突起、７８…係止凹部、７９…プラグ挿通孔。
【図１】
2005235651.tif 000003
【図２】
2005235651.tif 000004
【図３】
2005235651.tif 000005
【図４】
2005235651.tif 000006
【図５】
2005235651.tif 000007
【図６】
2005235651.tif 000008